(57)【特許請求の範囲】
【請求項１】
直立状態の人の身体の大部分を収容可能な高さで内部が入浴スペースになっている上面開口の箱型形状を有し、前記内部は湯水を貯留可能な耐水圧強度を持つ水圧構造を備え、壁面の一部には前記内部に出入可能なメインドアが設けられており、前記内部にはシャワーと、湯水の供給口とが配設されるとともに、開閉可能な排水口とトレッドミルとが底部に配設されている入浴装置であって、
前記メインドアは水密構造で上部に人が出入り可能な補助ドアを備えるとともに、前記内部の壁面には折畳シートを備え、この折畳シートは、不使用時は折り畳んだ状態とし、使用時には展開して背もたれ部分と座部とを作るとともに、前記座部は前記トレッドミルのベルト上に配置されることを特徴とする入浴装置。
【請求項２】
前記入浴装置の左右側壁には、強化ガラスが嵌め込まれた横長の楕円形の大きな窓が設けられていることを特徴とする請求項１に記載の入浴装置。
【請求項３】
前記内部から湯水を吸引する取水ポンプと、吸引した湯水からゴミを取り除くストレーナと、当該ストレーナにおいてゴミを除去した湯水をろ過するろ過器と、当該ろ過器で処理した湯水を貯留する貯留タンクと、当該貯留タンクの湯水を前記内部に返送する圧力タンクと、当該圧力タンクによって返送される湯水を加温する給湯器とを備えた循環装置が設けられていることを特徴とする請求項１または２に記載の入浴装置。
【請求項４】
急速排水手段が設けられていることを特徴とする請求項１〜３のいずれか１に記載の入浴装置。
【請求項５】
前記内部に、給排水や湯温調整および前記トレッドミルの運転など備わっている機能の操作を一括に行うことができるコントロールパネルが配設されていることを特徴とする請求項１〜４のいずれか１に記載の入浴装置。
【請求項６】
前記内部に、微細気泡を噴出する噴射口が配設されていることを特徴とする請求項１〜５のいずれか１に記載の入浴装置。
【請求項７】
前記内部に、圧縮空気を吹き出すエアノズルを設けることを特徴とする請求項１〜６のいずれか１に記載の入浴装置。
【発明の詳細な説明】
【技術分野】
【０００１】
本発明は、バスタブ入浴やシャワー入浴などが行えるとともに、水中歩行によるリハビリや筋力トレーニングなども行うことができる入浴装置に関する。
【背景技術】
【０００２】
従来、バスタブ入浴を行う浴槽とシャワー入浴を行うための洗い場とを一体で備えたユニットバスが実用に供されている。例えば、壁により囲われたユニット室内に浴槽と洗い場を備え、洗い場側の周壁に出入り可能なドアが設けられ、洗い場には給湯および給水用の混合水栓が設けられている（例えば、特許文献１参照）。また、浴槽の底部にトレッドミルを配設した水中歩行装置も実用化されており、下半身のリハビリや筋力トレーニングなどに利用されている（例えば、特許文献２参照）。
【先行技術文献】
【特許文献】
【０００３】
【特許文献１】特開平８−２６０７２２号公報（段落[０００７]、第１図）
【特許文献２】特開平８−２０６２５１号公報（段落[０００７]、第４図）
【発明の概要】
【発明が解決しようとする課題】
【０００４】
しかしながら、バスタブ入浴とシャワー入浴および水中歩行のうち別の入浴方法に変更する場合は、浴槽、洗い場、水中歩行装置のあいだを移動しなければならない。特に、水中歩行装置を利用する場合は、併設されている階段で装置の上まで上がり、そこから梯子を伝って水槽内に下りなければならない。したがって、移動が面倒であるとともに、要介護者の場合は困難な場合もある。
【０００５】
そこで本発明は、１つの入浴スペースでバスタブ入浴とシャワー入浴および水中歩行が行える入浴装置を提供することを目的としている。
【課題を解決するための手段】
【０００６】
請求項１記載の入浴装置は、直立状態の人の身体の大部分を収容可能な高さで内部が入浴スペースになっている上面開口の箱型形状を有し、前記内部は湯水を貯留可能な耐水圧強度を持つ水圧構造を備え、壁面の一部には前記内部に出入可能なメインドアが設けられており、前記内部にはシャワーと、湯水の供給口とが配設されるとともに、開閉可能な排水口とトレッドミルとが底部に配設されている入浴装置であって、前記メインドアは水密構造で上部に人が出入り可能な補助ドアを備えるとともに、前記内部の壁面には折畳シートを備え、この折畳シートは、不使用時は折り畳んだ状態とし、使用時には展開して背もたれ部分と座部とを作るとともに、前記座部は前記トレッドミルのベルト上に配置されることを特徴としている。
【０００７】
この請求項１に係る入浴装置によれば、前記排水口を閉じて前記内部に湯水を貯留すればバスタブ入浴が行え、前記排水口を開いて排水可能にすればシャワー入浴を行うことができ、さらに前記内部に湯水を貯留して前記トレッドミルを駆動すれば水中歩行を行うこともできる。したがって、場所の移動を伴わずに別の入浴方法への変更を行うことができる。
【０００８】
請求項２記載の入浴装置は、前記入浴装置の左右側壁には、強化ガラスが嵌め込まれた横長の楕円形の大きな窓が設けられていることを特徴としている。
【００１０】
請求項３記載の入浴装置は、内部から湯水を吸引する取水ポンプと、吸引した湯水からゴミを取り除くストレーナと、当該ストレーナにおいてゴミを除去した湯水をろ過するろ過器と、当該ろ過器で処理した湯水を貯留する貯留タンクと、当該貯留タンクの湯水を前記装置本体に返送する圧力タンクと、当該圧力タンクによって返送される湯水を加温する給湯器とを備えた循環装置を設けることを特徴としている。
【００１１】
この請求項３に係る入浴装置は、湯水を循環させて繰り返し使用することができるため、湯水を節約することができる。
【００１２】
請求項４記載の入浴装置は、急速排水手段を設けることを特徴としている。
【００１３】
この請求項４に係る入浴装置は、前記急速排水手段を設けることによって、入浴中に溺れるなどの事故を防ぐことができる。
【００１４】
請求項５記載の入浴装置は、内部に、給排水や湯温調整およびトレッドミルの運転など備わっている機能の操作を一括に行うことができるコントロールパネルを配設することを特徴としている。この請求項５に係る入浴装置によれば、前記内部にいながらにして各種機能の操作を行うことができる。
【００１５】
請求項６の入浴装置は、内部に、微細気泡（マイクロバブル）を噴出する噴出孔を設けることを特徴としている。この請求項６に係る入浴装置によれば、温浴効果やリラクゼーション効果を高めることができ、また古い角質を除去するなどの皮膚洗浄を行うこともできる。
【００１６】
請求項７の入浴装置は、内部に、圧縮空気を吹き出すエアノズルを設けることを特徴としている。この請求項７に係る入浴装置によれば、入浴後に利用者の体に付いている水滴を吹き飛ばすことができて便利である。なお、請求項６の入浴装置に記載の微細気泡（マイクロバブル）を噴出する噴出孔を、エアノズルと兼用することもできる。
【発明の効果】
【００１７】
請求項１に係る入浴装置は、バスタブ入浴やシャワー入浴および水中歩行によるリハビリや筋力トレーニングが一台で行えるため、場所を移動することなく手軽に別の入浴方法に変更することができる。また、一台でバスタブ入浴とシャワー入浴および水中歩行が行えるため、小規模な施設であっても充実したサービスの提供が可能になる。しかも設置工事は入浴装置を設置場所の床に置いたあと配線および配管を行うだけで完了するため、短い工期で設置することができる。さらに、内部に湯水を貯留した状態でも安全に出入りできるようになる。
【００１８】
請求項３に係る入浴装置は、湯水を循環して再利用できるため経済的で、ランニングコストを抑えることができる。請求項４に係る入浴装置は、入浴中の事故を防ぎ安全性を高めることができる。請求項５に係る入浴装置は、各種機能の選択および調整が簡単に行えるようになり、利用者が手軽に利用できるようになる。請求項６に係る入浴装置は、血圧正常化や皮膚病の治療および予防に効果があり、健康を促進することができる。
【００１９】
また、請求項７に係る入浴装置は、入浴後に利用者の体に付いている水滴を吹き飛ばすことができて便利である。
【図面の簡単な説明】
【００２０】
【図１】本発明に係る入浴装置の右斜め前方からの斜視図。
【図２】本発明に係る入浴装置の右斜め後方からの斜視図。
【図３】本発明に係る入浴装置の斜め上方からの俯瞰図。
【図４】バスタブ入浴している状態を示す入浴装置の幅方向の縦断面図。
【図５】入浴装置１の設置例。
【図６】シャワー入浴している状態を示す入浴装置の幅方向の縦断面図。
【発明を実施するための形態】
【００２１】
以下に、本発明に係るユニットバスの実施形態を図１〜図６に基づいて説明する。
【００２２】
図１〜図３に示すように、入浴装置１はＦＲＰで形成され、内部２が入浴スペースになっている上面開口の箱型形状を有しており、幅方向（矢印Ｘ方向）の長さに対して高さ方向（矢印Ｙ方向）および前後方向（矢印Ｚ方向）の長さを長くし、かつ前部の幅を先端に向かって徐々に狭めた船型形状の外観を備えている。入浴装置１の高さは、直立した利用者Ｕの体の大部分が納まるようなサイズになっていて、幅は利用者Ｕが窮屈に感じない程度でかつ省スペース化を図れるサイズになっている。そして、入浴装置１の左右側壁３、４には、強化ガラスが嵌め込まれた横長の楕円形の大きな窓５、６が設けられている。
【００２３】
入浴装置１の内部２は水密構造になっており、水が満杯になった状態でもその水圧に耐え得るだけの十分な強度を備えている。内部２へ出入りは、後部壁７に設けられている水密構造のメインドア８から行うことができる。メインドア８の縦の長さは、内部２の高さに相当するサイズで設けられており、敷居を低くして出入りを容易にしている。メインドア８の上部と下部とにはそれぞれ上下方向に旋回するレバー９、１０が設けられていて、下方に回すことでメインドア８をロックすることができ、上方に回すことでメインドア８のロックを解除することができる。内部２への出入りはこのメインドア８以外に、補助ドア１１からも行うことができる。補助ドア１１は、メインドア８の上部にその一部として設けられている。後部壁７の上部の内外両面には、メインドア８の左右両側に左右一対の手摺１２、１３がそれぞれ配設されている。これらの手摺１２、１３は縦向きに配置されており、利用者の出入りを補助することができる。
【００２４】
一方、前部壁１４の上部内面にはコントロールパネル１５が配設されており、入浴装置１の全ての機能を操作可能になっている。このコンロトールパネル１５は液晶のタッチパネルになっており、ＴＶやＤＶＤなどの映像を映すディスプレイとしても使用することができる。コントロールパネル１５の左右両側には、ＴＶやＤＶＤなどの音声、様々な報知音、ＢＧＭ等を流すことができる防水スピーカー１６、１７が配設されている。
【００２５】
また、コントロールパネル１５の下方にあって内部２の深さの略中間位置に、噴流を噴射するジャグジー用の噴射口１８、１９が左右一箇所ずつ設けられており、さらに噴射口１８、１９の下側にはバスタブ入浴用の折畳シート２０が配設されている。この折畳シートは図４に示すように三枚の四角形のパネルからなり、頭部および背中の一部が当接する背もたれ部分となる第１パネル２１が図３に示すように前方の壁面に固定され、この第１パネル２１の下縁部に、第１パネル２１と同じく背もたれ部分を構成する第２パネル２２が、その一辺を突き合わせるようにして折り畳み可能に連結されている。第２パネル２２には、第１パネル２１と反対側の縁部に、座部となる第３パネル２３が一辺を突き合わせた状態で折り畳み可能に連結されている。折畳シート２０は、不使用時は図３に示すように前部壁１４に折り畳んだ状態とし、使用時には第２パネル２２および第３パネル２３を展開して、第１パネル２１と第２パネル２２とで背もたれ部分を作り、図４に示すように第３パネル２３を後述するトレッドミル２４のベルト２５上に敷いて座部を作る。
【００２６】
一方、左側壁３および右側壁４にはそれぞれ、窓５、６の上側に沿って手摺２６、２７が横向きに配設されており（符号２７は図４参照）、窓５、６の下側に沿ってマイクロバブルを噴出させる複数の噴出口２８・・・、２９・・・が所定の間隔で配設されている（符号２９は図４参照）。これらの噴出口２８、２９はそれぞれ、一端が前部壁１４の内部空間３０に収納されている特殊ポンプ３１に接続された主配管３２に対して、各分岐配管３３・・・によってそれぞれ接続されている（図４参照）。なお、図４は噴出口２８の場合のみを示している。この特殊ポンプ３１はジャグジー用の噴射口１８、１９とも接続されており、折畳シート２０の下側に配設されている二箇所の吸引口３４、３５から内部２の湯水を吸引可能になっている。また、左側壁３および右側壁４の下端部にはそれぞれ、内部２を照明するための防水式の照明灯３６、３７が配設されている（符号３７は第４図参照）。そして、右側壁４の上部に引き出し式のシャワー３８が配置されている。
【００２７】
そして、内部２には開閉可能な排水口３９とトレッドミル２４とが底部に配設されている。トレッドミル２４は第４図に示すように、ベルト２５の走行方向が入浴装置１の前後方向と一致するように配置されており、コントロールパネル１５で走行、停止、スピード調整などが行えるようになっている。ベルト２５は油圧モータ４０により駆動され、この油圧モータ４０を駆動するための圧油を供給する油圧発生装置４１が、前部壁１４の内部空間３０に収納されている。また、排水口３９に隣接して湯水の供給口４２が設けられている。この供給口４２から供給した湯水を内部２に貯留することができる。
【００２８】
入浴装置１の内部２には、上部四隅に緊急ボタン４３・・・が設けられており、溺れるなどの緊急事態が発生した場合に、この緊急ボタン４３を直接押すか、あるいは入浴前に利用者Ｕがあらかじめ体に巻き付けておいたワイヤ（図示せず）を引っ張ることにより緊急ボタン４３が押された際のスイッチ（図示せず）が入るかすることによって、排水口３９から内部２の湯水を急速に排水できるようになっている。即ち、排水口３９には通常の排水に使用するメインの配管４４が接続されており、当該配管４４には止水弁４５が介設され、止水弁４５の上流側で分岐されている。分岐された配管４６には排水用ポンプ４７が介設されており、緊急ボタン４３が押されると止水弁４５が閉じるとともに排水用ポンプ４７が駆動し、内部２の湯水が急速に排水される。
【００２９】
このように構成されている入浴装置１は、病院のリハビリ室、スポーツクラブのプールサイドやフィットネスルーム、一般家庭における洋間やリビングの床のタイル張りがされた区画などに設置可能である。設置の際には、底面の四隅に設けられているキャスター４８・・・によって移動が手軽に行える。図５は、病院やスポーツクラブに設置した状態を示している。入浴装置１は室内の所定の場所に設置され、屋外に設置した循環用の容量５００Ｌ〜１０００Ｌの貯留タンク４８と配管にて接続されている。即ち、入浴装置１には別途取水口４９が設けられており、この取水口４９に取水用配管５０の一端部が接続されており、取水用配管５０の他端部は貯留タンク４８内に挿入されている。取水用配管５０には、毛髪やゴミを取り除くストレーナ５１と、ストレーナ５１でゴミを除去したあとの湯水を浄化するろ過器５２と、入浴装置１の内部２から湯水を取水し貯留タンク４８に送給するラインポンプ５３とが介設されている。ラインポンプ５３はろ過器５２と貯留タンク４８との間に配置されている。
【００３０】
一方、供給口４０には湯水供給用配管５４の一端部が接続されており、湯水供給用配管５４の他端部は貯留タンク４８に接続されている。当該湯水供給用配管５４には、ガス給湯器５５が介設されるとともに、ガス給湯器５５と貯留タンク４８との間には貯留タンク４８からガス給湯器５５に湯水を送給する圧力タンク５６が介設されている。供給口４０から供給される湯水はシャワー３８の湯としても利用される。
【００３１】
次に、入浴装置１の利用形態について説明する。利用者Ｕは入浴装置１のメインドア８のレバー９、１０を上方に回してロックを解除してからメインドア８を開いて内部２に入る。このとき、手摺１２を使用することができるし、敷居が低くなっているため楽に入ることができる。入浴装置１の内部２に入ったら、レバー９、１０を下方に回してメインドア８をロックする。そして、シャワー入浴を行うときには、コントロールパネル１５の画面で好みの温度を設定したのち、画面に表示されているシャワー給湯のボタンを押すと、ガス給湯器５５から湯が送給されてシャワー３８を使用することができる。使用後は、画面に表示されている停止ボタンを押して湯を止める。このときの排水は、排水口３９から入浴装置１の外に排出され、配管４４を通じて排水溝などの排水設備へと送られる。
【００３２】
一方、バスタブ入浴を行う場合には、図４に示すように、あらかじめ折畳シート２０を展開しておいてから、コントロールパネル１５の画面で湯の温度を設定後、バスタブ給湯のボタンを押す。このボタンを押せば排水口３９が自動的に閉じられて、所定の水深になるまで自動的に内部２に湯が供給される。このとき供給される湯量は、補助ドア１１から入浴装置１の内部２に出入りができるように、水面が補助ドア１１に達しない範囲で利用者Ｕが設定できるようになっている。設定した量の湯が供給されたら、防水スピーカー１６、１７から報知音が流れて通知される。利用者Ｕは展開した折畳シート２０の上に座って入浴を行う。入浴中、コントロールパネル１５の画面に表示されているマイクロバブルのボタンを押すと、左右側壁３、４に設けられている各噴出口２８・・・、２９・・・からマイクロバブルが噴出し、利用者Ｕは温浴効果が高められるとともに、皮膚洗浄により古い角質などがきれいに除去される。入浴が終了すれば、コントロールパネル１５の画面の終了ボタンを押すことで、内部２の排水が行われる。
【００３３】
また、上記のシャワー入浴およびバスタブ入浴の終了後に内部２の排水が行われた状態で、コントロールパネル１５の画面に表示されるエアブローのボタンを押すと、左右側壁３、４に設けられている各噴出口２８・・・、２９・・・から高圧のエアが一斉に吹き出し、利用者Ｕの体に付着している水滴を吹き飛ばすことができる。なお、上記実施例では、マイクロバブルの噴出口２８・・・、２９・・・をエアブロー用にも兼用したが、別個にエアノズルを設けることもでき、この場合には、入浴装置１内のメインドア８付近の出入口近傍に設けてもよい。
【００３４】
次に、リハビリや脚力強化などのため水中歩行に利用する場合について説明する。利用者Ｕは入浴装置１の内部２に入ったのち、コントロールパネル１５の画面に表示されている水中歩行用の給湯ボタンを押す。なお、水中歩行を行う場合には折畳シート２０は折り畳んで前部壁１４の壁面に収納しておく。給湯ボタンを押すと、排水口３９が自動的に閉じられて、あらかじめ設定した量の湯が自動的に供給される。そして、コントロールパネルでトレッドミル２４の走行速度を設定し、走行ボタンを押す。走行ボタンを押すとベルトが走行し始めるため、利用者Ｕは左右側壁３、４の手摺２６、２７につかまりながらベルト２５上を歩行する。この時にコントロールパネル１５の画面のジャグジーボタンを押せば、噴射口１８、１９から噴流が噴射されるので、マッサージ効果により血行が促進され温浴効果を高めることができる。
【００３５】
このようにバスタブ入浴や水中歩行などを行う場合は、入浴装置１の内部２の湯を循環させて使用することができる。即ち、内部２の湯をラインポンプ５３によって取水用配管５０が接続されている取水口４９から取水し、ストレーナ５１でゴミを取り除いたあとろ過器５２で浄化を行い、貯留タンク４８に送給する。一方、貯留タンク４８に貯留されている湯水を圧力タンク５６によってガス給湯器５５に供給し、ガス給湯器５５で加温したのちに、湯水供給用配管５４が接続されている供給口４０から入浴装置１の内部２に戻す。
【００３６】
これにより、内部２の湯温が一定に保たれるとともに、常に清浄な状態で利用することができる。また、スポーツクラブや病院などにおいては複数台を設置することも可能である。この場合図示は省略するが、例えば、屋外に大型の貯留タンクを配置し、湯水供給用配管を屋内に引き込んで分岐して各入浴装置の供給口に接続するとともに、同じく屋内に引き込んだ取水用配管を分岐して各入浴装置の取水口に接続する。そして、各入浴装置の排水口に排水用配管を接続し、これらの排水用配管を集約して排水設備に連結する。こうすれば、複数台の入浴装置の湯を循環して使用することができるため、非常に経済的である。また、家庭用入浴装置として利用することもできる。
【符号の説明】
【００３７】
１          入浴装置
２          内部
３          左側壁
４          右側壁
５、６      窓
７          後部壁
８          メインドア
９、１０    レバー
１１        補助ドア
１２、１３  手摺
１４        前部壁
１５        コントロールパネル
１６、１７  防水スピーカー
１８、１９  噴射口
２０        折畳シート
２１        第１パネル
２２        第２パネル
２３        第３パネル
２４        トレッドミル
２５        ベルト
２６、２７  手摺
２８、２９  噴出口
３０        内部空間
３１        特殊ポンプ
３２        主配管
３３        配管
３４、３５  吸引口
３６、３７  照明灯
３８        シャワー
３９        排水口
４０        油圧モータ
４１        油圧発生装置
４２        供給口
４３        緊急ボタン
４４        配管
４５        止水弁
４６        配管
４７        排水用ポンプ
４８        貯留タンク
４９        取水口
５０        取水用配管
５１        ストレーナ
５２        ろ過器
５３        ラインポンプ
５４        湯水供給用配管
５５        ガス給湯器
５６        圧力タンク
【図１】
0005437717.tif 000002
【図２】
0005437717.tif 000003
【図３】
0005437717.tif 000004
【図４】
0005437717.tif 000005
【図５】
0005437717.tif 000006
【図６】
0005437717.tif 000007